(57)【要約】【課題】人間工学的であって、目新しいメーキャップ効果が得られるアプリケータを提供する。【解決手段】アプリケータ（２）は、取っ手部材（７）と、ヒンジを介して取っ手部材に連結されたステム（６）と、ステムの第１の端部のところに設けられていて、メーキャップを角質繊維に塗布するよう構成されたアプリケータ要素（２０）とを有し、ステムは、ステムが取っ手部材に対して向く方向を変えることができる操縦可能な部分（１８）を有し、操縦可能部分は、少なくとも一部が、ヒンジと、ステムの第１の端部とは反対側の第２の端部との間に延びている。【選択図】　　　図１
2004008801.tif 000002
【特許請求の範囲】
【請求項１】
取っ手部材（７）と、ヒンジを介して取っ手部材に連結されたステム（６）と、ステムの第１の端部のところに設けられていて、メーキャップを角質繊維に塗布するよう構成されたアプリケータ要素（２０）とを有するアプリケータ（２）であって、ステムは、ステムが取っ手部材に対して向く方向を変えることができる操縦可能な部分（１８）を有し、操縦可能部分は、少なくとも一部が、ヒンジと、ステムの第１の端部とは反対側の第２の端部との間に延びていることを特徴とするアプリケータ。
【請求項２】
取っ手部材（７）と、取っ手部材（７）の内部に設けられたヒンジ（１０，１１；１１０，１１１；１２０；１３０）を介して取っ手部材に連結されたステム（６）と、ステムの第１の端部のところに設けられたアプリケータ要素（２０；３０；４０；５０；６０）とを有し、ステムは、ステムが取っ手部材に対して向く方向を変えることができる操縦可能な部分（１８）を有し、操縦可能部分は、少なくとも一部が、ヒンジと、ステムの第１の端部とは反対側の第２の端部との間に延びていることを特徴とするアプリケータ。
【請求項３】
ヒンジは、ヒンジのところでの取っ手部材に対するステムの認識できるほどの軸方向及び（又は）側方変位を阻止するよう構成されていることを特徴とする請求項１又は２記載のアプリケータ。
【請求項４】
取っ手部材（７）と、ヒンジのところでの取っ手部材に対するステムの認識できるほどの軸方向及び（又は）側方変位を阻止するよう構成できるヒンジを介して、取っ手部材に連結されたステム（６）と、ステムの第１の端部のところに設けられた任意の種類のアプリケータ要素と、ステムが取っ手部材に対して向く方向を変えることができる操縦可能な部分（１８）とを有し、操縦可能部分は、少なくとも一部が、ヒンジと、ステムの第１の端部とは反対側の第２の端部との間に延びていることを特徴とするアプリケータ。
【請求項５】
取っ手部材（７）は、受け器（３）を閉鎖するよう構成されていることを特徴とする請求項１〜４のうちいずれか一に記載のアプリケータ。
【請求項６】
取っ手部材は、雌ねじを備えたスカートを有していることを特徴とする請求項５記載のアプリケータ。
【請求項７】
ステム（６）が取っ手部材（７）に対して向いている方向をユーザが識別できるようにする、特に、目盛りである、少なくとも１つの基準マーク（７７）を有していることを特徴とする請求項１〜６のうちいずれか一に記載のアプリケータ。
【請求項８】
取っ手部材は、本体（１４）を有し、操縦可能部分（１８）は、本体の一端を貫通していることを特徴とする請求項１〜７のうちいずれか一に記載のアプリケータ。
【請求項９】
本体は、一端に端壁（６９）を有し、端壁は、操縦可能部分が貫通する開口部（７０，７１）を備えていることを特徴とする請求項８記載のアプリケータ。
【請求項１０】
開口部は、少なくとも１つのスロット（７０，７１）から成ることを特徴とする請求項９記載のアプリケータ。
【請求項１１】
開口部は、少なくとも２つのスロット（７０，７１）から成り、スロットは、実質的に互いに垂直に延びる長手方向軸線（Ｆ１，Ｆ２）を有していることを特徴とする請求項１０記載のアプリケータ。
【請求項１２】
少なくとも１つのスロット（７０，７１）は、操縦可能部分（１８）の変位中、ハードポイントを構成する少なくとも１つの縁部（７３）を有していることを特徴とする請求項１０又は１１記載のアプリケータ。
【請求項１３】
端壁（６９）は、外側に向かって全体として凸状である形状を備えていることを特徴とする請求項９〜１２のうちいずれか一に記載のアプリケータ。
【請求項１４】
操縦可能部分は、取っ手部材（７）の少なくとも一部を覆うよう構成されたカバー（６６）を有していることを特徴とする請求項１〜１３のうちいずれか一に記載のアプリケータ。
【請求項１５】
カバーは、取っ手部材の本体に向かって全体的に凹状である面（６７）を備えていることを特徴とする請求項１４記載のアプリケータ。
【請求項１６】
操縦可能部分（１８）は、少なくとも１つの可撓性領域を含むシース（８０；９０；１００；１０２；１０８）によって少なくとも一部が覆われていることを特徴とする請求項１〜１５のうちいずれか一に記載のアプリケータ。
【請求項１７】
シースの可撓性領域は、ベロー（８２）から成ることを特徴とする請求項１６記載のアプリケータ。
【請求項１８】
操縦可能部分（１８）は、全体がシースによって覆われていることを特徴とする請求項１６又は１７記載のアプリケータ。
【請求項１９】
シースは、全体が可撓性であることを特徴とする請求項１６〜１８のうちいずれか一に記載のアプリケータ。
【請求項２０】
シースは、エラストマーで作られていることを特徴とする請求項１６〜１９のうちいずれか一に記載のアプリケータ。
【請求項２１】
シース（１００）は、取っ手部材に装着されていることを特徴とする請求項１６〜２０のうちいずれか一に記載のアプリケータ。
【請求項２２】
シース（８０；１０８）は、成形により取っ手部材と一体に作られていることを特徴とする請求項１６〜２１のうちいずれか一に記載のアプリケータ。
【請求項２３】
シースは、フィルムヒンジ（１０７）を介して取っ手部材（７）に連結されていることを特徴とする請求項２２記載のアプリケータ。
【請求項２４】
シース（８０）は、断面が、その長さの少なくとも一部にわたって円形であることを特徴とする請求項１６〜２３のうちいずれか一に記載のアプリケータ。
【請求項２５】
シース（９０）は、断面がその長さの少なくとも一部にわたって長円形であることを特徴とする請求項１６〜２３のうちいずれか一に記載のアプリケータ。
【請求項２６】
シース（１０２）は、フォームのブロックから成ることを特徴とする請求項１６〜２１のうちいずれか一に記載のアプリケータ。
【請求項２７】
シースは、使用されていないとき、アプリケータが取り付けられる受け器のクロージャを密封するのに役立つことを特徴とする請求項１６〜２６のうちいずれか一に記載のアプリケータ。
【請求項２８】
アプリケータは、ユーザが操縦可能部分を放した後、ステムがユーザによりこれに与えられた方向を向き続けるように構成されていることを特徴とする請求項１〜２７のうちいずれか一に記載のアプリケータ。
【請求項２９】
ヒンジは、取っ手部材に対するステムの運動を制動するブレーキ（１３５，１３６）を有していることを特徴とする請求項１〜２８のうちいずれか一に記載のアプリケータ。
【請求項３０】
ブレーキは、取っ手部材に対するステムの位置とは無関係に制動作用を及ぼすことを特徴とする請求項２９記載のアプリケータ。
【請求項３１】
ブレーキ（１３５，１３６）は、取っ手部材に対するステムの少なくとも１つの所定の位置でのみ制動作用を及ぼすことを特徴とする請求項２９記載のアプリケータ。
【請求項３２】
ヒンジは、ボールソケット型継手（１０，１１）を有することを特徴とする請求項１〜３１のうちいずれか一に記載のアプリケータ。
【請求項３３】
前記継手の着座部（１１）は、剛性であることを特徴とする請求項１〜３２のうちいずれか一に記載のアプリケータ。
【請求項３４】
ヒンジは、ピン（１１０）から成り、ステム（６）は前記ピンの回りに回動できることを特徴とする請求項１〜３１のうちいずれか一に記載のアプリケータ。
【請求項３５】
ヒンジは、ステムが貫通する、特に、ディスク（１３０）である少なくとも１つの変形可能な壁を有し、前記壁は、ステムと取っ手部材との間に延びていることを特徴とする請求項１〜３１のうちいずれか一に記載のアプリケータ。
【請求項３６】
ヒンジは、ステムが貫通する、特に、フォームである弾性変形可能な材料から成る、少なくとも１つのブロック（１２０）を有する、ことを特徴とする請求項１〜３１のうちいずれか一に記載のアプリケータ。
【請求項３７】
ステムは、ピボットとして働く円筒形部分（１１６）を有していることを特徴とする請求項１〜３１のうちいずれか一に記載のアプリケータ。
【請求項３８】
ステムは、使用されていないとき、アプリケータが取り付けられる受け器（３）の表面と実質的に漏れない状態で協働するよう構成された密封部材（９）を有していることを特徴とする請求項１〜３７のうちいずれか一に記載のアプリケータ。
【請求項３９】
アプリケータ要素は、直線状ではない長手方向軸線を有していることを特徴とする請求項１〜３８のうちいずれか一に記載のアプリケータ。
【請求項４０】
アプリケータ要素（２０）は、ステムの軸線（Ｘ）とゼロではない角度（ｉ）をなす長手方向軸線を有していることを特徴とする請求項１〜３９のうちいずれか一に記載のアプリケータ。
【請求項４１】
アプリケータ要素は、アプリケータ要素の長手方向軸線に対して横方向に延びるブリッスル又は歯を有していることを特徴とする請求項１〜４０のうちいずれか一に記載のアプリケータ。
【請求項４２】
アプリケータ要素は、マスカラブラシであることを特徴とする請求項４１記載のアプリケータ。
【請求項４３】
アプリケータ要素は、メーキャップを睫毛及び（又は）眉毛に塗布するよう形成された櫛（６０）から成ることを特徴とする請求項４０記載のアプリケータ。
【請求項４４】
アプリケータ要素は、特にマニキュア用エナメルを塗布する塗料ばけ（５０）を有することを特徴とする請求項２〜３８のうちいずれか一に記載のアプリケータ。
【請求項４５】
アプリケータ要素は、フロック加工されたエンドピース（３０；４０）を有することを特徴とする請求項２〜３８のうちいずれか一に記載のアプリケータ。
【請求項４６】
化粧品の包装及び塗布のための器具であって、化粧品の入った受け器と、請求項１〜４５のうちいずれか一に記載のアプリケータとから成ることを特徴とする器具。
【請求項４７】
アプリケータは、受け器を閉鎖するよう構成されていることを特徴とする請求項４６記載の器具。
【請求項４８】
受け器は、ワイパ（５）を有していることを特徴とする請求項４６又は４７記載の器具。
【請求項４９】
受け器及びアプリケータは、アプリケータが受け器上の定位置にあるとき、アプリケータのステムが受け器に対して回動するのが阻止されるような態様で構成されていることを特徴とする請求項４６〜４８のうちいずれか一に記載の器具。
【請求項５０】
化粧品を身体の一部又は顔面に塗布する方法であって、軸線（Ｙ）を有する取っ手部材（７）にヒンジ連結されたステム（６）の一端のところにあるアプリケータ要素（２０）に化粧品を装填する段階と、アプリケータ要素を支持するステムの端部とは反対側の第２の端部に隣接して位置する操縦可能部分（１８）の取っ手部材の軸線（Ｙ）に対し横断方向に、スラストを手動で及ぼすことによりステム（６）が取っ手部材に対して向く方向を変える段階とを有していることを特徴とする方法。
【請求項５１】
アプリケータ要素は、メーキャップを角質繊維に塗布するよう構成されており、メーキャップを角質繊維に、ステムが実質的に水平になった状態で、且つ、取っ手部材に対するステムの第１の傾斜角で塗布する段階を有し、前記第１の傾斜角は、例えばゼロであり、前記方法は、メーキャップを角質繊維に、ステムが実質的に垂直な状態で、取っ手部材に対するステムの第２の傾斜角で塗布する段階を更に有し、第２の傾斜角は、第１の傾斜角とは異なっていることを特徴とする請求項５０記載の方法。
【発明の詳細な説明】
【０００１】
【発明の属する技術分野】
本発明は、取っ手部材、ヒンジを介して取っ手部材に連結されたステム及びステムの一端部のところに設けられたアプリケータ要素を有するアプリケータに関する。
【０００２】
【従来の技術】
化粧品を塗布するのに適したかかるアプリケータは、米国特許第６，０２６，８２３号明細書に記載されている。
他のアプリケータは、米国特許第５，３２８，２８２号明細書、米国特許第２，１７３，９５９号明細書、米国特許第４，３９６，０２９号明細書、米国特許第５，４３５，３２８号明細書、仏国特許第２，７０１，１９６号明細書、米国特許第４，１６５，７５５号明細書、仏国特許第１，３９５，２１７号明細書、米国特許第４，４２８，３８８号明細書、米国特許第３，１８５，２９１号明細書及び米国特許第４，３７０，９８９号明細書に記載されている。
【０００３】
上記特許文献の中でも、仏国特許第１，３９５，２１７号明細書は、変形可能なカプセルを有するマニキュア用エナメルアプリケータを記載している。カプセルは、可撓性部分及び剛性部分から成り、剛性部分はこれを、瓶のネックに螺着できるねじ山を有している。形状が球形であり又はベローの形態をした可撓性部分は、ブラシに固定され、ユーザがこの可撓性部分を押し下げることによりブラシを押し下げてこれが瓶の底に到達できるようにしたり、ブラシを拭ってこれに付着状態になった顔料をピックアップするのに有効であり、それによりこれら顔料を懸濁状態に戻すことができる。
【０００４】
【発明が解決しようとする課題】
非直線状の長手方向軸線を備えたアプリケータ要素を有するアプリケータも又、特に、メーキャップを睫毛又は眉毛に塗布するためものとして知られている。アプリケータ要素の形状が所与の場合、アプリケータ要素をワイパを介して受け器内へ挿入することによりアプリケータ要素にメーキャップを載せ又は装填する場合に問題が生じる場合がある。かかる挿入の妨害を回避するため、アプリケータ要素とアプリケータ要素を支持するステムとのなす角度は、あまり大き過ぎてはならない。残念なことに、人間工学的な理由でステムに関して急傾斜状態のアプリケータ要素を設けると共に（或いは）例えば、多種多様なメーキャップ効果を可能にすることが望ましい場合がある。
本発明の特定な目的は、人間工学的であって、目新しいメーキャップ効果が得られる特に唇、瞼、眉毛、睫毛又は髪の毛用の新規なアプリケータを提案することにある。
【０００５】
【課題を解決するための手段】
本発明は、その特徴のうちの１つとして、取っ手部材と、ヒンジを介して取っ手部材に連結されたステムと、ステムの第１の端部のところに設けられていて、メーキャップを、例えば、睫毛、眉毛又は髪の毛に塗布するよう構成されたアプリケータ要素と、ステムが取っ手部材に対して向く方向を変えることができる操縦可能な部分とを有し、操縦可能部分は、少なくとも一部が、ヒンジと、ステムの第１の端部とは反対側の第２の端部との間に延びていることを特徴とするアプリケータを提供する。
【０００６】
かかるアプリケータにより、アプリケータ要素が取っ手部材に対して向く方向を使用中に変えてアプリケータ要素の軸線とステムの軸線のなす角度を０ではない角度にするが、この場合、塗布のためのメーキャップが入っていて、ワイパを備えた受け器内へアプリケータを導入する際の困難を生じさせることはない。というのは、かかる挿入は、例えば、ステムが取っ手部材の軸線上に実質的に位置している間に行うことができるからである。アプリケータ要素の形状が非直線状である場合、アプリケータ要素と取っ手部材のなす入射又は導入角を、使用時に大きくすることができ、この場合、アプリケータに受け器内への挿入を妨害するような傾斜角を与える必要はない。また、ステムを取っ手部材に対して傾斜させることにより、睫毛又は眉毛のメーキャップの際、取っ手部材を顔面から一段と遠くに保持することができ、かくして、ステムの軸線が実質的に垂直に向いた状態でメーキャップを睫毛又は眉毛に塗布するのが容易になる。
【０００７】
本発明は、別の特徴として、取っ手部材と、ヒンジのところでの取っ手部材に対するステムの認識できるほどの軸方向及び（又は）側方変位を阻止するよう構成できるヒンジを介して取っ手部材に連結されたステムと、ステムの第１の端部のところに設けられた任意の種類のアプリケータ要素と、ステムが取っ手部材に対して向く方向を変えることができる操縦可能な部分とを有し、操縦可能部分は、少なくとも一部が、ヒンジと、ステムの第１の端部とは反対側の第２の端部との間に延びていることを特徴とするアプリケータを提供する。
ヒンジのところでの取っ手部材に対するステムのそれほど大きな軸方向及び（又は）側方の変位が無いので、アプリケータ要素をメーキャップが塗布される場所に正確に位置決めできる。
【０００８】
本発明は、別の特徴として、取っ手部材と、取っ手部材の内部に設けられたヒンジを介して取っ手部材に連結されたステムと、ステムの第１の端部のところに設けられたアプリケータ要素と、ステムが取っ手部材に対して向く方向を変えることができる操縦可能な部分とを有し、操縦可能部分は、少なくとも一部が、ヒンジと、ステムの第１の端部とは反対側の第２の端部との間に延びていることを特徴とするアプリケータを提供する。
ヒンジが取っ手部材の内側に配置されているので、アプリケータは一層コンパクトになり、しかも手で持つのが容易になる。
【０００９】
本発明に従って構成されたアプリケータの例では、取っ手部材は、雌ねじを備えた本体を有するのがよい。
取っ手部材は、本体を有し、操縦可能部分は、本体の一端を貫通している。本体は、この一端に端壁を有し、端壁は、操縦可能部分を通す開口部を備えている。この端壁は全体として形状が外方に凸であるのがよい。
【００１０】
上記開口部は、少なくとも１つのスロットから成るのがよく、このスロットは、操縦可能部分の運動を案内するのに役立つ。スロットは、適宜、取っ手部材の側面の少なくとも一部にわたって延びるのがよい。一例を挙げると、開口部は、少なくとも２つのスロットから成り、スロットは、例えば実質的に互いに垂直に延びる長手方向軸線を有している。スロットは、操縦可能部分の変位中、例えば、少なくとも１つの突起によって少なくとも１つのハードポイント（堅い箇所）を構成する縁部を有するのがよい。必要に応じ、ハードポイントにより操縦可能部分を所定位置に保持するのが容易になる。
アプリケータ、例えば、その端壁は、ステムが取っ手部材に対して向いている方向をユーザが容易に見分けることができるようにする少なくとも１つの基準マーク、例えば、目盛りを有するのがよい。
【００１１】
操縦可能部分は、取っ手部材を少なくとも部分的に覆うよう構成されたカバーを有するのがよい。一例を挙げると、カバーは、取っ手部材の本体に向かって全体的に凹状である面又はフェースを有するのがよい。
操縦可能部分を、例えば少なくとも１つの可撓性領域を有するシースによって少なくとも部分的に覆うのがよい。特に、可撓性領域は、ベローから成るのがよい。
操縦可能部分をシースで完全に覆ってもよい。
【００１２】
シースは、全体が可撓性であるのがよく、例えば、ブチルニトリル、エチレン−プロピレンジエンモノマー（ＥＰＤＭ）、シリコーン又はラテックスで作るのがよいが、これらの材料には限定されない。
シースを取っ手部材に取り付けるのがよく、或いは変形例として、取っ手部材に、成形により、例えば、この上に射出することにより一体に作ってもよい。
【００１３】
シースの外形は、軸方向に対称であるのがよく、例えば、その長さの少なくとも一部にわたって円形の断面を有する。
シースの外形は、１以上の方向にシースを変形させることができるようなものであるのがよい。例えば、シースはかくして、その長さの少なくとも一部にわたって長円形である断面を備えるのがよい。
【００１４】
シースは、厚さが大きな又は小さな壁を有するのがよい。例えば、シースは、取っ手部材の壁の厚さと同程度の厚さの壁を少なくとも或る幾つかの場所に有するのがよい。
シースは又、特にシースが気泡材料で作られている場合、比較的厚みのある壁を有していてもよい。
例えば、シースは、凹部又は少なくともステムの第２の端部が嵌まり込むスロットを備えたフォームのブロックから成っていてもよい。かかるブロックを例えばヒートシール又は接着剤により取っ手部材の本体の一端部に固定するのがよい。
シースは、アプリケータが使用されていない間に取り付けられる受け器のクロージャを密封するのに役立つことができる。
【００１５】
ヒンジは、取っ手部材に対するステムの運動を制動するためにブレーキを有するのがよい。ブレーキは、取っ手部材に対するステムの位置とは無関係に制動作用を及ぼすことができる。変形例として、ブレーキは、取っ手部材に対するステムの少なくとも１つの所定の位置でのみ制動作用を及ぼしてもよい。
ヒンジを種々の方法で作ることができ、例えば、このヒンジを介して、ステムは１つの軸線、２つの軸線又は無数の軸線の回りに動くことができる。
【００１６】
例えば、ヒンジは、剛性又は可撓性の着座部を有するのがよいボールソケット型継手を有するのがよい。剛性着座部により、例えばステムの密封部材と受け器との良好な接触により受け器のクロージャの良好な密封を得ることができるが、このようにするかどうかは任意である。
変形例として、ヒンジは、ステムの回動の中心となるピン、例えば、金属ピンから成っていてもよい。変形例として、ステムは、ピボットとして役立つ円筒形部分を有してもよい。
ヒンジは、ステムが貫通する少なくとも１つの可撓性の壁、例えば、ディスクを更に有するのがよく、この可撓性の壁は、ステムと取っ手部材との間に延びる。一実施形態では、ステムが貫通する、例えば、フォームである弾性変形可能な材料から成る少なくとも１つのブロックを有する。
【００１７】
アプリケータは、ユーザが操縦可能部分を放した後、ステムがユーザによってこれに与えられた方向に引き続き向くように構成されたものであるのがよい。
変形例として、アプリケータは、例えばユーザがステムを放すと、例えばステムの軸線を取っ手部材の軸線に整列させるため、ステムを所定の方向に向くように戻すのに適した弾性戻し部材を有していてもよい。戻し部材を、例えば、ヒンジを構成する要素によって構成するのがよい。戻し部材を上述したようなシースで構成してもよい。
ステムは、使用されていないとき、アプリケータが装着される受け器の表面に実質的に漏れ止め状態で当接するよう構成された密封部材を有するのがよい。一例を挙げると、密封部材は、ディスク及び（又は）切頭円錐形部分を有するのがよい。
【００１８】
アプリケータ要素は、長手方向軸線を備えるのがよく、この長手方向軸線は、直線であるが、このようにするかどうかは任意である。
アプリケータ要素は、ステムの軸線と０ではない角度をなす長手方向軸線を備えるのがよい。この０ではない角度は、アプリケータ要素に隣接したステムの端部の軸線とステムに隣接したアプリケータ要素の近位部分の軸線部分とのなす角度であるのがよい。また、０ではない角度は、アプリケータ要素に隣接したステムの端部の軸線とステムから見て遠くに位置したアプリケータ要素の遠位部分の軸線とのなす角度であってもよい。
【００１９】
アプリケータ要素は非直線状であってもよく、或いは、ステムとアプリケータ要素は全体が、単一の直線状の軸線に沿って延びる必要はない。かかる状況のもとでは、一例を挙げると、ステムのアプリケータ要素は、平面内に延びるのがよく、ステムは、この平面内でのみ回動できるのがよい。アプリケータ要素の長手方向軸線は又、ステムの回動平面から外へ延びていてもよい。
アプリケータ要素は、アプリケータ要素の長手方向軸線に対し横方向、例えば、垂直に延びるブリッスル及び（又は）歯を有するのがよい。
アプリケータ要素は、マスカラブラシ、特に、金属ワイヤの２本の撚り合わせられた枝部で作られているコアを有するブラシから成り、ブリッスルは、コアから実質的に半径方向に延びる。
【００２０】
アプリケータ要素は、メーキャップを角質繊維、例えば、睫毛又は眉毛に塗布するよう構成された櫛から成っていてもよい。アプリケータ要素は、例えば、ギザギザを備えるのがよい。
アプリケータ要素を例えばプラスチック材料を射出することにより作るのがよい。
変形実施形態では、アプリケータ要素は、塗料ばけタイプのブラシ、例えば、マニキュア用エナメルを塗布するブラシから成っていてもよい。
【００２１】
アプリケータ要素は、例えばメーキャップを唇又は瞼に塗布するよう構成されたフォーム、スポンジ、フェルト又はフロック加工エンドピースから成っていてもよい。アプリケータ要素をフロック加工するのがよい。
アプリケータ要素は、メーキャップを毛管作用により保持するのに適したものであるのがよい。
本発明は又、化粧品の包装及び塗布のための器具であって、化粧品の入った受け器と、上述のアプリケータとから成る器具を提供する。
【００２２】
アプリケータは、受け器を閉鎖するよう構成されたものであるのがよい。
受け器は、ワイパを有するのがよい。ワイパは、アプリケータを受け器に戻すと、ステムを傾斜角が０の位置に戻すのに役立つ。
受け器及びアプリケータは、アプリケータが受け器上の定位置にあるとき、アプリケータのステムが受け器に対して回動しないように構成されたものであるのがよい。
受け器の密封クロージャを、ヒンジの軸線に沿って動く際、ヒンジの上、ヒンジの周り又はヒンジの下に位置する密封手段によって得るのがよい。
【００２３】
本発明は又、化粧品を身体の一部又は顔面、特に睫毛又は眉毛に塗布する方法であって、軸線を有する取っ手部材にヒンジ連結されたステムの一端のところに位置するアプリケータ要素に化粧品を装填する段階と、アプリケータ要素を支持するステムの端部とは反対側の第２の端部に隣接して位置する操縦可能部分の取っ手部材の軸線に対し横断方向に、スラストを手動で及ぼすことにより、ステムが取っ手部材に対して向く方向を変える段階とを有していることを特徴とする方法を提供する。
【００２４】
アプリケータ要素が、メーキャップを角質繊維、例えば、睫毛及び（又は）眉毛に塗布するよう構成されている場合、上記方法は、メーキャップを角質繊維に、ステムが実質的に水平になった状態で、且つ、取っ手部材に対するステムの第１の傾斜角で塗布する段階を有し、前記第１の傾斜角は、例えばゼロであり、上記方法は、メーキャップを角質繊維に、ステムが実質的に垂直な状態で、且つ、取っ手部材に対するステムの第２の傾斜角で塗布する段階を更に有し、第２の傾斜角は、第１の傾斜角とは異なっている。
【００２５】
本発明の内容は、添付の図面を参照して非限定的な実施形態について以下の詳細な説明を読むと一層理解されよう。
【００２６】
【発明の実施の形態】
図１は、メーキャップＰ、例えばマスカラを睫毛又は眉毛に塗布する器具１を示しており、この器具は、図２及び図３にそれ自体が示されているアプリケータに及びメーキャップＰの入った受け器３を有し、アプリケータ２を使用していないときには受け器３に実質的に漏れ止め状態で固定することができる。従前通り、受け器３は、図１に示すようにねじ山付きネック４を有するのがよく、ワイパ５がねじ山付きネックの内側に固定され、このワイパは、例えば、エラストマーで作られ、場合によっては、形状が全体として円錐形の可撓性リップから成る。図示の例では、アプリケータ２は軸線Ｘの直線状ステム６と、軸線Ｙの取っ手部材７とを有し、この取っ手部材は又、受け器３のクロージャキャップとしても役立ち、この目的のため、ネック４に螺着するよう構成された雌ねじ８を備えている。
【００２７】
ステム６は、図１で理解できるように、アプリケータ２が受け器上の定位置にあるとき、受け器３の開口部と協働するよう構成された密封部材９を有している。一例を挙げると、この密封部材９は、切頭円錐形部分９ａを有するのがよく、この切頭円錐形部分の頂端部にはワイパ５の頂縁部に当接するようにされたカラー９ｂが装着されている。ワイパは、受け器の内部に拭い取りオリフィス５ａを構成し、このオリフィスは、拭い取りのためのステムの部分の断面が円形の場合、円形であるのがよく、又、これはその直径と一致しているのがよい。一例を挙げると、変形例においては、密封部材は、切頭円錐形部分又はディスクしか備えていなくてもよく、或いは、或る他の形状を有していてもよく、例えば、密封スカートを有していてもよい。特に密封部材がディスクを有している場合、密封部材は、エラストマー材料のビードを有するのがよい。
【００２８】
取っ手部材７は、例えば硬質プラスチック材料で作られた全体として管状の本体１４を有し、図示の例では軸線Ｙの周りに円対称である外形を備え、本体１４は、受け器３のネック４に嵌まることができるようにする開口部１５を軸方向端部のところに備えると共にその軸方向端部のところに、ステム６の操縦可能な部分１８を通す開口部１６を備えており、この操縦可能部分は、ステムが取っ手部材７に対して向く方向を定めるのに役立つ。
【００２９】
ステム６は、図２に示すように、アプリケータ２の使用中、ステム６の軸線Ｘと取っ手部材７の軸線Ｙとのなす角度ｉｉをユーザが変えることができるように取っ手部材７にヒンジ止め態様で連結されている。
アプリケータ２は、ヒンジを有し、例えば、ステム６に形成された全体として球形の部分１０と、取っ手部材７の内部に設けられた相補形状のソケット又は着座部１１とから成るボールソケット型継手の形態をしているのがよい。かかる継手により、ステム６はヒンジのところでの取っ手部材７に対するステム６の認識できるほどの軸方向及び側方運動が防止されながら、取っ手部材７に対するそれ自体の軸線Ｘの回りに回転することができるが、このようにするかどうかは任意である。
【００３０】
図示の例では、ソケット１１は、取っ手部材の壁１２によって構成され、この壁は、頂端部が本体１４の内向きのリム１３に連結されている。
ステム６は、操作可能部分１８と反対側のその端部のところに、アプリケータ要素２０を備え、このアプリケータ要素２０は、アプリケータが定位置にあるとき、受け器の底部と接触できる（このようにするかどうかは任意である）、又、このアプリケータ要素２０は、例えば、マスカラブラシで構成されている。
従前通り、ブラシは、金属ワイヤの２本の撚り合わせられた枝部で作られているコアを有し、ブリッスルは、コアから実質的に半径方向に突出している。
【００３１】
ステム６が取っ手部材７に対して向く方向を、アプリケータが受け器上の定位置にあるとき、受け器内の挿入されたステムの部分に触ることなく変えることができ、かくして、ユーザが指を汚す恐れが回避される。
加うるに、ステム６の操縦可能部分１８により、ユーザは、メーキャップの塗布中、アプリケータ要素が取っ手部材に対して向いている方向の変化を操縦可能部分１８に働きかけることによって知ることができる。
メーキャップを塗布しながらステムを片手で操縦することができる。
【００３２】
ブラシは、図１〜図３の例の場合のように非直線状のコア又は図７に示すように直線状のコアを備えることができる。
アプリケータ要素２０とステム６は両方とも同一の真っ直ぐな線に沿って延びないようにすること、特に、アプリケータ要素が直線状の長手方向軸線を備えるようにすることが望ましい場合がある。
図１〜図３の例では、ブラシ２０は、湾曲した状態のコアを備え、ステムに隣接したコア２１の近位部分２１ａは、実質的に軸線Ｘに沿ってステムに連結され、コア２１の遠位部分２１ｂは、軸線Ｘと角度ｉをなす方向Ｚに向いている。
方向Ｘと取っ手部材７の軸線Ｙとのなす角度は、角度ｉと角度ｉｉの合計に一致するのがよく、かくして、例えば、図３に示すように、アプリケータのステムが上方を向いた状態でメーキャップを睫毛に塗布することができる。
【００３３】
アプリケータのステムが上方を向いた状態でメーキャップをしている間、ステムと取っ手部材のなす角度は、取っ手部材を顔面から離して保持することができるよう極めて大きい角度であるのがよく、それにより、メーキャップを塗布するのが容易になる。
ステムが実質的に水平な状態でアプリケータを用いる場合、ステムの向く方向は、図４に示すように例えば取っ手部材の軸線に対して実質的に０であるのがよい。
アプリケータは、操作可能部分１８をいったん放してもステムが向いている方向を保つような態様で構成されたものであるのがよく、したがって、ユーザは、ステムを取っ手部材の軸線に対して傾斜させたままにするために力を操作可能部分に加え続ける必要はない。
【００３４】
変形例として、以下に説明するように、アプリケータは、操作可能部分１８をいったん放すと、ステムを戻してこれが取っ手部材の軸線に対して所定の方向に向くように構成されたものであってもよい。
アプリケータが受け器上の定位置にあるとき、ステム及び適宜密封部材９と受け器及び特にワイパ部材５との協働により、例えば仏国特許第１，３９５，２１７号の器具について説明されている効果とは対照的に、操作可能部分１８が取っ手部材に対しそれほど傾斜しないようにするという効果が得られる。
【００３５】
ステム６の端部のところのアプリケータ要素２０は、種々の方法で構成されたものであってよく、特に、オフセンタであるコア及び（又は）湾曲したコアを有し、コアを湾曲させる前においては、例えば図５及び図６に示すような形状を備えたブラシによって構成されたものであるのがよい。
図５及び図６は、コアを湾曲させる前であってコア２１をステム６に植え込む前の２つのブラシブランクを示している。
これら２つの例の各々について、コア２１はステムへの植え込み前では全体が直線状であることが理解できよう。
破線は、コアを湾曲させた後のコアの形状を示している。
【００３６】
図５の例では、ブランクは、その長手方向軸線の周りに２つの切頭円錐の形態をした包囲表面を備えている。
ブリッスルを支持するブラシの部分２０ａの全長は例えば、約２６ミリメートル（ｍｍ）である。ブランクの最大直径は７ｍｍよりも僅かに大きいものであるのがよく、その端部直径は約４ｍｍであるのがよい。コア２１の全長は、例えば３５ｍｍよりも僅かに大きいものであるのがよい。
【００３７】
コア２１は、ステム６に植え込まれた部分を直線状に保って自由部分に例えばほぼ６０ｍｍの曲率半径を与えるようにして湾曲したものであるのがよい。
コアの自由端部は、ステムに植え込まれた直線状部分の軸線から例えば約４．５ｍｍであるのがよい距離ｄだけオフセットしているのがよい。
【００３８】
コアを湾曲させる前においては、図６のブランクの全体形状は、実質的に魚の形をしていて、実質的に切頭円錐形の前側部分２０ｂ及び円対称であって、長手方向断面が外方に凹状の２つの反対側に位置した円形縁部２０ｄ，２０ｅで構成された本体２０ｃを備えるのがよく、円形縁部２０ｄ，２０ｅの各々の曲率半径は、約５２ｍｍである。ブラシのその後方端面２０ｆ近くの直径は、例えば、約７．５ｍｍであるのがよく、その前側端面２０ｇの近くの直径は、例えば、約５ｍｍであるのがよい。図６のブランクは、ブリッスルを支持するそのコアの部分を湾曲させることにより最終ブラシの状態に変形されて図示の場合のように一定であり、約５３ｍｍの曲率半径を有するようになっている。
【００３９】
ステムに植え込まれた部分に隣接したブリッスルを支持しているブラシの部分の端部は、図６に示すように、ステム６に植え込まれた部分の軸線に対し小さな角度をなすのがよい。コアの自由端部のオフセット距離ｄは、例えば、約２．４ｍｍであるのがよい。
【００４０】
また、例えば図８に示すように瞼をメーキャップするフロック加工エンドピース３０、図９に示すように唇をメーキャップするフロック加工エンドピース４０又は図１０に示すようにマニキュア用エナメルを爪に塗布する塗料ばけタイプのブラシ５０を有するアプリケータ要素を用いることが可能である。また、図１１に示すように櫛６０を用いることが可能である。非限定的な櫛の他の例は、特に、欧州特許第１，１６９，９４１号明細書、欧州特許第１，０７０，４６５号明細書、欧州特許第１，０７０，４６８号明細書、欧州特許第１，０７０，４６７号明細書に記載されている。また、図１２に示すようにフェルトチップ又はフォームを用いることが可能である。
【００４１】
図１２では、ステム６は、全体として直線状である必要はなく、例えば、曲がり部分６ａを有してもよいことが理解できる。
アプリケータ要素は、図１２Ａで理解できるように断面で見てギザギザを有するのがよく、これをプラスチック材料の射出成形によって作るのがよい。
種々のアプリケータ要素はステムと同一の直線に沿って延びるのがよいが、このようにするかどうかは任意である。
【００４２】
図１〜図３の例では、ステム６の操縦可能部分１８は、例えばプラスチック材料の成形によりステムの残部と一体に作られる。
操作可能部分１８を、例えば図１３に示すように一端を球形部分１０のハウジング６１内に挿入することによりステム６の残部に取り付けられた別個の部品によって構成することは本発明の範囲から逸脱しない。
ステム６を取っ手部材７に連結するヒンジを、図１４に示すように取っ手部材７の残部に取り付けられた部品によって構成してもよい。この図においては、ソケット１１は、例えばスナップ留めにより取っ手部材の残部６４に固定された部品６３に形成されていることがわかる。
【００４３】
また、図１４では、操作可能部分１８が突き出た取っ手部材７の開口部を外方に末広がりになった縁部６５によって構成してもよいことが理解できる。
ボールソケット型継手のソケット１１を構成する壁１２は、例えば、図１５に示すように、少なくとも一部が取っ手部材７の外側に延びるのがよい。
操作可能部分１８は、ソケット１１の壁１２の少なくとも一部を隙間がほとんど無く又は全く無い状態で覆うのに役立つカバー６６を備えるのがよく、カバー６６は、図示の例の場合のように壁１２に差し向けられた凹面６７を備えているが、このようにするかどうかは任意である。
【００４４】
取っ手部材７は、図１６に示すように一方の軸方向端部のところに端壁６９を有するのがよく、この端壁には、操縦可能部分１８が貫通する１以上のスロットを有する。
図１６の例では、端壁６９は、互いに垂直なそれぞれの軸線Ｆ１，Ｆ２を定めると共に、幅が操作可能部分１８の直径に実質的に一致した２つのスロット７０，７１を有し、操縦可能部分１８は、ステム６を取っ手部材７に対して傾斜させると、スロット内で動くことができる。
スロット７０，７１を設けることにより、軸線Ｆ１，Ｆ２の方向への取っ手部材７に対するステム６の有効運動範囲を減少させることができる。
【００４５】
図示の例では、端壁６９は全体として外方に凸状である。上述のスロットのうち少なくとも一方、例えば、両方のスロット７０，７１は、少なくとも１つの突起７３、例えば、１対の突起７３を有するのがよく、これら突起は、互いに向かい合っていて操縦可能部分１８の通過を止めるハードポイント（堅い箇所）を形成し、それにより、操縦可能部分１８を例えばスロットのうちの一方の軸方向端部に当接の際に、所定の位置に保持する一因となることができる。
【００４６】
図１８の例では、ユーザはかくして、操縦可能部分１８を５つの所定の位置、即ち、部分１８がスロット７０，７１相互の交差部のところに位置し、軸線Ｙに対するステム６の傾斜角が実質的に０である中央位置及び操縦可能部分１８が態様関係にあるスロットの軸方向端部のうちの一方に当接する４つの端位置のうちの１つに持ってゆくことができる。突起７３の存在と関連したハードポイントを通過することにより中央位置と端位置との間で位置が変えられる。
一例を挙げると、ステム６がたった１つの軸線回りに回動できることが望ましい場合、取っ手部材７は図９に示すようにたった１つのスロット７０を有する必要がある。
【００４７】
ステムが一平面内でのみ回動する場合、アプリケータ要素は、この平面内で延びる湾曲した長手方向軸線を備えるのがよい。
取っ手部材は、ユーザが取っ手部材に対する操縦可能部分１８の位置を見分けることができるようにする少なくとも１つの基準マーク７７を有するのがよい。例えば、取っ手部材は、複数の目盛りを有するのがよい。
操縦可能部分１８を、種々の方法で作ることができるシースによって覆うのがよい。一例を挙げると、シースは、受け器を密封するのに役立つことができる。
【００４８】
図２０は、エラストマーを取っ手部材７の本体の一部８１上に一体成形することにより作られたシース８０を示している。
一例を挙げると、シースは、図２１に示すようにひだ部８２を有するのがよく、これらひだ部８２は、例えば、ステム６を操作することができるようシースにあらゆる方向におけるフレキシビリティを与えるベローを構成している。
図２０及び図２１の例では、シースの外形は、取っ手部材７の軸線Ｙの周りに全体として円対称であるが、任意的に操縦可能部分を動かすことができる１以上の優先方向を定める目的で、シースに円対称ではない形状を与えることは本発明の範囲から逸脱しない。
【００４９】
一例を挙げると、図２２は、実質的に平らな２つの反対側の表面９１を備えたシース９０を示しており、ユーザはこれら表面を押して取っ手部材７に対するステム６の傾斜角を変えることができる。
これら表面９１のうちの１つは、ユーザがこれを押すのを助けるようにするためにメッセージ９２を有するのがよいが、このようにするかどうかは任意である。
図２２に示すシースに適用する場合、ステム６の角変位を単一の軸線周りの変位に制限するのに役立つ形状をシースに与えるのがよい。
【００５０】
図２２の例では、表面９１に対し実質的に垂直な操縦可能部分１８の変位部分Ｍにおけるシース９０のフレキシビリティは、ステムが表面９１に対して実質的に平行な軸線Ｋの回りに回動するのを助け、これに対し、軸線Ｋの方向のシース９０の高い剛性は、軸線Ｋに垂直な軸線回りのステムの回動を阻止する傾向がある。
ボールソケット型継手のソケットを、例えば生じる摩擦を大きくすることによりステムの変位を制動する目的で、シースと同種の材料から成形することにより一体形成された壁で作ることができる。
【００５１】
一例を挙げると、図２３は、取っ手部材のリム９５にスナップ留めされた底部９４を有するシース１００の一例を示している。底部９４は、ステム６の球形部分の１０を収納するソケット１１を構成している。
操縦可能部分１８に嵌められたシースは、取っ手部材に対して固定された部分を備えていないのがよいが、このようにするかどうかは任意である。
操縦可能部分１８は、ステムの傾斜角を変えている間、シースに対する操縦可能部分１８の相対変位、特に、軸方向変位を可能にするようシースの内部で自由であるのがよい。
【００５２】
操縦可能部分１８は又、例えば、ステムを軸線Ｘが軸線Ｙと実質的に一致している休み位置に戻す傾向のある制約条件を生じさせるためにシースに対して自由でなくてもよい。
必要に応じて、シースは、ステムを休み時に傾斜角が０の位置に戻す弾性戻し部材を構成するのがよい。
シースは又、取っ手部材の本体に固定された気泡材料のブロックから成っていてもよい。
【００５３】
一例を挙げると、図２４は、一方の面１０３がヒートシール又は接着剤により取っ手部材の端壁１０４に固定された弾性変形可能なフォームのブロック１０２によって構成されたシースを示している。
ブロック１０２は、面１０３に開口するよう設けられていて、操縦可能部分１８が受け入れられた凹部１０５を有している。
【００５４】
変形例として、凹部１０５に変えて、１以上のスロット１０６、例えば、図２５に示すように十字の形をした２つのスロットを用いてもよい。
シースは又、取っ手部材と同種の材料で作られたものであるのがよく、例えば、図２６に示すようにフィルムヒンジを介して取っ手部材に連結されている。
この図は、成形により取っ手部材７に一体形成され、フィルムヒンジ１０７を介して取っ手部材に連結されたシース１０８を示している。
フィルムヒンジ１０７の中央領域は、操縦可能部分１８を通すことができるように途切れている。
ステムと取っ手部材との間にヒンジを形成するためにボールソケット型継手以外の手段を用いることができる。
【００５５】
一例を挙げると、図２７及び図２８はステム６と嵌合した軸線Ｔを備えたピン１１０、例えば、金属ピンを有するヒンジを示しており、このヒンジは、例えば、軸線Ｔに実質的に垂直な平らな面を有すると共に、ピン１１０を通す開口部１１２が穿孔された拡大部分１１１を有するのがよい。ピンを取っ手部材の直径方向反対側のスタッド１１３に固定するのがよい。取っ手部材は、その本体１１５に固定された例えば金属製の外部覆い１１４を有するのがよく、この覆いは又ピン１１０をスタッド１１３内に保持するのに役立つ。
【００５６】
また、図２９に示すように、例えば球形部分を円筒形部分１１６で置き換えることによりステムのヒンジを構成することが可能であり、それにより、ステムは、この円筒形部分の軸線Ｗの回りでのみ回動することができ、この軸線Ｗはステムの軸線Ｘに垂直に延びる。この円筒形部分１１６の軸方向端部をハウジング１１７内に収納するのがよく、これらハウジング１１７は、挿入可能部分１８を取っ手部材の態様関係にある開口部に差し込むと、円筒形部分１１６をハウジング１１７内にスナップ嵌合させることができるよう取っ手部材の端部１５に向かって開口している。
また、変形可能な材料で作られた壁又はブロックを用いることによりヒンジを構成してもよい。
【００５７】
一例を挙げると、図３０は、例えばヒートシール又は接着剤により取っ手部材の本体の内部に固定された気泡材料、例えば、弾性変形可能なフォームのブロック１２０を有するヒンジを示している。ステム６は、ブロック１２０に設けられた開口部１２１、例えば、スロットを通り、このステムは、ブロック１２０の各側に設けられた浮出し部１２３，１２４を有するのがよく、これら浮出し部はステム６が向いている方向を変えるためにステム６がユーザによって操縦されている間、これらの間にブロック１２０を保持するほど大きいものである。
【００５８】
また、図３１に示すように例えばエラストマーで作られた単純なディスク１３０を用いることができ、このディスクは、例えば、操縦可能部分１８が突き出た開口部を包囲している取っ手部材のリム１３１内にヒートシールされる。
【００５９】
ソケット１１と嵌合しているステムの球形部分１０は、図３２に示すように浮出し部分１３５、例えば、ギザギザを有するのがよく、これら浮出し部分は、ソケットの壁１２に形成された相補形状の浮出し部分１３６の部分と協働してステムの運動を制動すると共に（或いは）ステムを１以上の所定の角度位置に静止状態に一層容易に保持できるようになっている。変形例として、浮出し部分１３５，１３６に代えてステムと取っ手部材との間の追加の摩擦を生じさせるためにエラストマー材料の少なくとも１つのビードを用いてもよい。
【００６０】
当然のことながら、本発明は上述の実施形態には限定されない。例えば、本発明に従って新たな実施形態を構成するために種々の実施形態の特徴を互いに組み合わせることができる。
もし別段の指定が無ければ、本明細書全体的にわたって見られる「〜を有する」という表現は、「〜を少なくとも一つ有する」という表現と同義であると理解されるべきである。
【００６１】
本発明に従って構成されたアプリケータは、使用されていないとき、アプリケータに挿入される受け器と一緒に用いる必要は無い。アプリケータ要素を例えばメーキャップのケークと接触させることによりアプリケータ要素にメーキャップを装填することができる。
【図面の簡単な説明】
【図１】本発明に従って構成された睫毛又は眉毛へのメーキャップの塗布装置の軸方向断面図である。
【図２】ステムを取っ手部材に対して回動させた後の図１の器具のアプリケータを単独で示す図である。
【図３】ステムが実質的に垂直方向に差し向けられていて、睫毛をメーキャップするのに用いられている図２のアプリケータを示す図である。
【図４】ステムが実質的に水平方向に差し向けられていて、睫毛をメーキャップするのに用いられている図２のアプリケータを示す図である。
【図５】アプリケータ要素として用いられるのに適したブラシの一例を示す略図であり、ブラシがこれらのコアを湾曲させるのに先立って示されている図である。
【図６】アプリケータ要素として用いられるのに適したブラシの別の例を示す略図であり、ブラシがこれらのコアを湾曲させるのに先立って示されている図である。
【図７】図１と類似した図であり、アプリケータ要素が直線状長手方向軸線を備えたブラシによって構成されている器具を示す図である。
【図８】他のアプリケータの一例を示す図である。
【図９】他のアプリケータの別の例を示す図である。
【図１０】他のアプリケータの別の例を示す図である。
【図１１】他のアプリケータの別の例を示す図である。
【図１２】湾曲したステムの一部を示す図である。
【図１２Ａ】ギザギザを備えたアプリケータ要素の断面図である。
【図１３】とりわけヒンジをどのようにすれば構成できるかについての一例を示す図である。
【図１４】とりわけヒンジをどのようにすれば構成できるかについての別の例を示す図である。
【図１５】とりわけヒンジをどのようにすれば構成できるかについての別の例を示す図である。
【図１６】本発明の変形実施形態としてのアプリケータの部分側面図である。
【図１７】図１６のｘｖｉｉに沿って見た端面図である。
【図１８】一実施形態を示す図１７と類似した図である。
【図１９】別の実施形態を示す図１７と類似した図である。
【図２０】アプリケータの他の例の一部分を示す図である。
【図２１】アプリケータの他の例の別の部分を示す図である。
【図２２】アプリケータの他の例の別の部分を示す図である。
【図２３】アプリケータの他の例の別の部分を示す図である。
【図２４】アプリケータの他の例の別の部分を示す図である。
【図２５】アプリケータの他の例の別の部分を示す図である。
【図２６】アプリケータの他の例の別の部分を示す図である。
【図２７】アプリケータの他の例の別の部分を示す図である。
【図２８】図２７のｘｖｉｉｉに沿って見た断面図である。
【図２９】ヒンジの他の例を示す図である。
【図３０】ヒンジの他の例を示す図である。
【図３１】ヒンジの他の例を示す図である。
【図３２】ギザギザを備えたヒンジの実施形態を示す図である。
【符号の説明】
２　アプリケータ
３　受け器
４　ネック
５　ワイパ
６　ステム
７　取っ手部材
９　密封部材
１０　球形部分
１３　リム
１８　操縦可能な部分
２０　ブラシ
２１　コア
Ｐ　メーキャップ
【図１】
2004008801.tif 000003
【図２】
2004008801.tif 000004
【図３】
2004008801.tif 000005
【図４】
2004008801.tif 000006
【図５】
2004008801.tif 000007
【図６】
2004008801.tif 000008
【図７】
2004008801.tif 000009
【図８】
2004008801.tif 000010
【図９】
2004008801.tif 000011
【図１０】
2004008801.tif 000012
【図１１】
2004008801.tif 000013
【図１２】
2004008801.tif 000014
【図１２Ａ】
2004008801.tif 000015
【図１３】
2004008801.tif 000016
【図１４】
2004008801.tif 000017
【図１５】
2004008801.tif 000018
【図１６】
2004008801.tif 000019
【図１７】
2004008801.tif 000020
【図１８】
2004008801.tif 000021
【図１９】
2004008801.tif 000022
【図２０】
2004008801.tif 000023
【図２１】
2004008801.tif 000024
【図２２】
2004008801.tif 000025
【図２３】
2004008801.tif 000026
【図２４】
2004008801.tif 000027
【図２５】
2004008801.tif 000028
【図２６】
2004008801.tif 000029
【図２７】
2004008801.tif 000030
【図２８】
2004008801.tif 000031
【図２９】
2004008801.tif 000032
【図３０】
2004008801.tif 000033
【図３１】
2004008801.tif 000034
【図３２】
2004008801.tif 000035